(57)【要約】【課題】蓋の開閉操作性に優れ、使用性の高い生ごみ処理機を提供することを目的とする。【解決手段】厨芥を収納する収納部（図示せず）を覆い回動自在に配設された蓋１９と、前記蓋１９を自動的に回動させる開成手段３３とを備え、前記蓋１９が自動的に開く時に、前記蓋１９の開く方向とは逆の方向に前記蓋１９を付勢する付勢手段３３ｂを設けた厨芥処理機で、重い蓋１９をわざわざ手で持ち上げて開ける必要なく、蓋１９が全開する直前にブレーキ作用が加わる構成としたことで、使用性の高い生ごみ処理機処理機を提供することができる。【選択図】図７
2005211863.tif 000002
【特許請求の範囲】
【請求項１】
厨芥を収納する収納部を有する本体と、前記収納部を覆い回動自在に配設された蓋と、前記本体と前記蓋との閉止を解除する解除手段と、前記解除手段により前記蓋と前記本体との閉止を解除した時に、前記蓋を自動的に回動させる開成手段とを備え、前記蓋が自動的に開く時に、前記蓋の開く方向とは逆の方向に前記蓋を付勢する付勢手段を設けた厨芥処理機。
【請求項２】
開成手段の一部が、付勢手段の機能を有する請求項１記載の厨芥処理機。
【請求項３】
開成手段を複数個の弾性体にて構成し、そのうち少なくとも１個の弾性体に弾性力を調整する調整機構を設けた請求項１または２記載の厨芥処理機。
【請求項４】
開成手段の一端が、蓋の開閉時に、摺接しながら移動する摺動部を有する請求項１〜３のいずれか１項に記載の厨芥処理機。
【発明の詳細な説明】
【技術分野】
【０００１】
本発明は食品などの生ごみを乾燥処理する生ごみ処理機に関するものである。
【背景技術】
【０００２】
従来の生ごみ処理機を、図１０、図１１を用いて説明する。
【０００３】
図１０において、１は生ごみ処理機本体、２は生ごみを収納する生ごみ収納部で、底面に生ごみを撹拌する撹拌羽根３を備えている。この生ごみ収納部２の上部には蓋１９を設け、蓋１９の内部には生ごみを加熱するヒータからなる加熱手段４を配してある。加熱手段４は加熱用ヒータ５および加熱ファン６から構成され、熱風を生ごみに当てて生ごみの表面を加熱乾燥する。なお加熱ファン６は加熱モータ７により回転駆動される。
【０００４】
また、生ごみ収納部２の上方蓋２０内部には吸気口８が設けられており、この吸気口８は生ごみ収納部２を介して連結通路９を通じて脱臭手段１０に接続されている。脱臭手段１０は加熱されて臭気を脱臭する触媒と、触媒を加熱する触媒加熱ヒータ１２で構成し、触媒を介して臭気を脱臭し、排気口１１より外部に排出する排気手段１３（排気ファン１４、排気モータ１５、冷却ファン１６）から構成されている。生ごみ処理機本体１内には制御回路１７、撹拌羽根３を駆動する駆動装置１８を設けてある。
【０００５】
蓋１９と生ごみ処理機本体１は尾錠３０により施錠される。上記従来生ごみ処理機において、尾錠３０を手で操作し、解除することで、蓋１９を手で開け、生ごみ収納部２に生ごみを投入あるいは乾燥処理後の生ごみを生ごみ収納部２から取り出していた（例えば、特許文献１参照）。
【０００６】
また、図１１において、蓋１９に取り付けられた回動レバー２３にコイルバネ２２の一端が取りつけられ、他端は本体１内部のフレーム２１に取り付けられている。また、蓋１９の前方には開閉レバー２４が取り付けられており、開閉レバー２４を押すと尾錠５のフックが本体よりはずれ蓋１９はコイルバネ２２により引っ張られて回動レバー２３が回動し蓋が急激に全開する（例えば、特許文献２参照）。
【特許文献１】特開２００２-１１９９３９号公報
【特許文献２】特開平８-４７６８３号公報
【発明の開示】
【発明が解決しようとする課題】
【０００７】
しかしながら上記従来の乾燥式生ごみ処理機では、蓋部に乾燥用ヒータや加熱ファン、モータを備えているために蓋の重量が重く、蓋を開く時には手で尾錠を解除した後蓋を手で持ち上げて開かなくてはならず蓋の開閉が行いづらいという課題を有していた。
【０００８】
また、蓋をバネにて開クタイプにおいてはバネが長くスペースも大きなものとなり、構造も複雑でかつ蓋が急に全開してしまい使い勝手上も好ましくないという状態のものであった。
【０００９】
本発明は上記従来の課題を解決するもので、蓋の開閉操作性に優れ、使用性の高い生ごみ処理機を提供することを目的とする。
【課題を解決するための手段】
【００１０】
上記従来の問題を解決するために、本発明は、厨芥を収納する収納部を有する本体と、前記収納部を覆い回動自在に配設された蓋と、前記本体と前記蓋との閉止を解除する解除手段と、前記解除手段により前記蓋と前記本体との閉止を解除した時に、前記蓋を自動的に回動させる開成手段とを備え、前記蓋が自動的に開く時に、前記蓋が自動的に開く時に、前記蓋の開く方向とは逆の方向に前記蓋を付勢する付勢手段を設けた厨芥処理機で、これにより、重い蓋をわざわざ手で持ち上げて開ける必要なく、自動的に蓋を開くようになり蓋の開閉操作性の向上が図れるとともに、蓋が全開する直前にブレーキ作用が加わる構成としたことで、蓋が開いた時に本体が倒れたり、ふらついたりせずに蓋を開けることができて、使用性の高い生ごみ処理機処理機を提供することができる。
【発明の効果】
【００１１】
本発明によれば、蓋の開閉操作性に優れ、使用性の高い生ごみ処理機を提供できる。
【発明を実施するための最良の形態】
【００１２】
第１の発明は、厨芥を収納する収納部を有する本体と、前記収納部を覆い回動自在に配設された蓋と、前記本体と前記蓋との閉止を解除する解除手段と、前記解除手段により前記蓋と前記本体との閉止を解除した時に、前記蓋を自動的に回動させる開成手段とを備え、前記蓋が自動的に開く時に、前記蓋が自動的に開く時に、前記蓋の開く方向とは逆の方向に前記蓋を付勢する付勢手段を設けた厨芥処理機で、これにより、重い蓋をわざわざ手で持ち上げて開ける必要なく、自動的に蓋を開くようになり蓋の開閉操作性の向上が図れるとともに、蓋が全開する直前にブレーキ作用が加わる構成としたことで、蓋が開いた時に本体が倒れたり、ふらついたりせずに蓋を開けることができて、使用性の高い生ごみ処理機処理機を提供することができる。
【００１３】
第２の発明は、開成手段の一部が、付勢手段の機能を有するもので、上記請求項１記載の構成を、安価でコンパクトに作成できる。
【００１４】
第３の発明は、開成手段を複数個の弾性体にて構成し、そのうち少なくとも１個の弾性体に弾性力を調整する調整機構を設けたもので、部品のばらつきや重量ばらつきにより、蓋の開閉角度のばらつきの検査や、組み立て調整作業ができ組み立て性の向上が行える。
【００１５】
第４の発明は、開成手段の一端が、蓋の開閉時に、摺接しながら移動する摺動部を設けた保持金具の開閉バネ保持部に摺動部材を有するもので、蓋の開閉時に、異常なきしみ音を生じることなく、開成手段の摺動をスムースに行えて蓋をスムースに開閉できる。
【００１６】
以下、本発明の実施の形態について、図面を参照しながら説明する。なお、この実施の形態によって本発明が限定されるものではない。
【００１７】
（実施の形態１）
図１は、本発明の第１の実施形態における生ごみ処理機の側断面図、図２は、同蓋の解除機構の側方詳細図、図３は、同蓋の開閉機構の下方詳細図、図４は、同蓋の他の開閉機構の下方詳細図、図５は、同生ごみ処理機本体の後方部分断面図、図６は、同蓋の開閉機構の後方詳細図、図７は、同蓋の開閉機構の側方詳細図、図８は、同補助開閉手段の調整機構部の詳細図、図９は同開閉手段の摺動部の正面図と断面図である。
【００１８】
図１において１は生ごみ処理機本体、２は生ごみを収納する生ごみ収納部で、底面に生ごみを撹拌する撹拌羽根３を備えている。また、前記生ごみ収納部２の上方で、前記生ごみ収納部２の上方開口を開閉自在に回動して覆う蓋１９は、生ごみを加熱する加熱手段４を配してある。加熱手段４は、加熱用ヒータ５および加熱ファン６から構成され、熱風を生ごみに当てて生ごみの表面を加熱乾燥する。なお、加熱ファン６は加熱モータ７により回転駆動される。なお、前記加熱モータ７も前記蓋１９に設けられている。
【００１９】
また、生ごみ収納部２の上方に吸気口（図示せず）が設けられており、この吸気口は生ごみ収納部２を介して連結通路５４を通じて脱臭手段１０に接続されている。脱臭手段１０は加熱されて臭気を脱臭する触媒（図示せず）と、触媒を加熱する触媒加熱ヒータ１２から構成され、触媒を介して臭気を脱臭し、排気口１１より外部に排出する排気手段１３は（排気ファン１４、排気モータ１５、冷却ファン１６）から構成されている。また、生ごみ処理機本体１内には制御回路１７、撹拌羽根３を駆動する駆動装置１８を設けてある。
【００２０】
図２において、蓋１９と生ごみ処理機本体１は尾錠３０により施錠され、生ごみ処理機が運転状態に入る。そして、蓋１９上面には、前記尾錠３０を解除し、スライド移動する操作部２４を設けていて、前記尾錠３０には、尾錠を解除する前記操作部２４との接触部に軸２７と回転体２８を設けている。さらに、尾錠３０に設けた突起体にビス止めする形で尾錠３０と裏蓋４０を固定している。また、蓋１９と尾錠を解除する操作部２４は、前記操作部２４に設けた突起体２６にて、ビス止めする形で位置固定されている。ここで、この突起体２６はガタ止めの役割もある。また、蓋１９に施錠部２５を設け、前記施錠部２５を操作することで、尾錠３０が動作しない、つまり蓋１９が開かない状態にする。
【００２１】
図３、図５〜図７に示すように、３３は開成手段（コイルばね）で、裏蓋４０にスポット溶接等で取り付けられた補強板３９にねじ締め固定された保持金具３２に、一端３３ａは、摺動部３１を介して与圧が加わった状態で、前記保持金具３２に取り付けられた摺動部３１内を貫通させて保持されている。操作部２４を押すと、尾錠３０は回動し、本体１との固定が外れ、開成手段（コイルばね）３３の一端３３ａが、前記摺動部３１内を摺動しながら、前記保持金具３２を持ち上げることにより蓋１９は開き始める。
【００２２】
開成手段３３の他端３３ｂは、ブレーキ手段用の付勢手段の役割をなしており、先端形状は略Ｌ字形状をしており、先端はＲ形状となっていて、蓋１９がある角度以上開くと、前記他端３３ｂは補強板３９に当接し、ばねの圧縮力で蓋１９の開成を付勢するようにブレーキがかかり、蓋１９を適正な角度に止めることができるよう構成してある。なお、前記開成手段（コイルばね）３３の一端３３ａに作用する与圧は、他端３３ｂに作用する与圧より大きくなるよう設定してある。
【００２３】
開成手段３３は、ヒンジプレート３６にシャフト３５を通して両端をＥリング３４等で保持されている。また、一方、補助開成手段（コイルばね）３７がパイプ４７の内部に収納されており、一端をネジにてヒンジプレート３６に固定されるとともに、他端は裏蓋４０に取り付けられた補強板３９の側面の穴に与圧が加わった状態で保持されている。本構成は、補助開成手段（コイルばね）３７を用いた例であるが、蓋１９の大きさや重量により補助開成手段（コイルばね）３７は必要ない場合や、あるいはブレーキ作用の構成を持った開成手段（コイルばね）３３を１個で動作することも可能であり、補助開成手段（コイルばね）３７の代わりに複数個の開成手段（コイルばね）３３で構成することも可能である。
【００２４】
また、図４において、複数個の開成手段（コイルばね）３３と補助開成手段（コイルばね）３７とで構成することも可能である。開成手段３３の摺動部材４２を、段つき形状の端面を有する円筒状の形状にて形成し、開成手段３３の一端３３ａを、摺動部材４２の中に通し、補強板３９にスポット溶接などで取り付けられた保持金具３２に設けられた摺動部材４２内を摺動するように構成することも可能である。
【００２５】
これにより、ヒンジプレート３６は、本体１内部のフレーム５１に、蓋１９の回動支点軸５２が水平なる用にネジ締め固定されている。また、開成手段３３の一端３３ａには一端が鍔つきの円筒状の摺動部材４２が挿入されていて、前記摺動部材４２の鍔部は保持金具３２と開成手段３３の間に位置して取り付けられているため、蓋１９の開閉時には、開成手段３３は前記摺動部材４２の内部を摺動し、かつ、摺動部材４２は蓋１９の開閉時にも、開成手段３３と保持金具３２の間に配置されており墜落しない構成となっている。
【００２６】
図８は、補助開成手段（コイルばね）３７のバネ圧を調整する調整機構５０の構成であり、補強板３９の側面には、補助開成手段（コイルばね）３７の一端３７ａを引っ掛け保持する長穴５３を設け、補助開成手段（コイルばね）３７の一端３７ａの上部に、位置調整ネジ４３により上下可能な位置調整板４６を設け、調整機構５０は、補強板３９に溶接等で固定された指示板４８に取り付けられた内部にネジを切ったガイド筒４５と、その上部には位置調整ネジ４３の位置を固定するナット４４とにて構成されている。また、位置調整板４６は、中央に穴をあけ位置調整ネジの一端を通すとともに、部分的に側面を切り欠き（図示せず）側面よりＥリング４９などで保持する構成としている。
【００２７】
図９は、保持金具３２に取り付ける摺動部３１の構成であり、摺慟性のよい樹脂等で構成し、下部形状が末広がり形状３１Ａになっている。
【００２８】
以上のように構成された生ごみ処理機について、以下動作、作用、効果を説明する。
【００２９】
厨芥を収納する収納部２を有する本体１と、前記厨芥を加熱する加熱手段４を有し、かつ前期本体に対して回動自在に前記本体に設けた蓋１９と、尾錠３０を解除する操作部２４を蓋上面に備えたもので、蓋上面に尾錠３０を解除する操作部２４を配置することで、生ごみ処理機上方向から容易に尾錠３０を解除する操作部２４を操作することができるとともに、容易に尾錠３０を解除することができ、運転が終了し生ごみの処理物を取り除く場合、あるいは生ごみを投入する場合には、操作部２４を押すと、尾錠３０は回動し、本体１との固定が外れ、開成手段（コイルばね）３３の一端３３ａにより蓋１９は開き始め、蓋１９が全開する前に、開成手段（コイルばね）３３の他端３３ｂによりブレーキがかけられて、蓋１９をスムースに開くことができる。
【００３０】
これにより、蓋の開閉性を向上させた使い勝手の良い生ごみ処理機を提供することができる。さらに、１個の開成手段にてブレーキ手段をも構成したので、安価かつコンパクトに蓋の構成も実現できる。
【産業上の利用可能性】
【００３１】
以上のように、本発明にかかる生ごみ処理機は、蓋の開閉操作性に優れ、使用性の高い生ごみ処理機を提供できるため、家庭用、業務用に限らず、開閉自在な蓋を有するすべての生ごみ処理機に有用である。
【図面の簡単な説明】
【００３２】
【図１】本発明の第１の実施形態における生ごみ処理機の側断面図
【図２】同蓋の解除機構の側方詳細図
【図３】同蓋の開閉機構の下方詳細図
【図４】同蓋の他の開閉機構の下方詳細図
【図５】同生ごみ処理機本体の後方部分断面図
【図６】同蓋の開閉機構の後方詳細図
【図７】同蓋の開閉機構の側方詳細図
【図８】同補助開閉手段の調整機構部の詳細図
【図９】（ａ）同開閉手段の摺動部の正面図（ｂ）同開閉手段の摺動部の断面図
【図１０】従来の生ごみ処理機の側断面図
【図１１】同他の生ごみ処理機の側断面図
【符号の説明】
【００３３】
１  本体
２  収納部
１９  蓋
２４  解除手段
３１  摺動部
３２  保持金具
３３  開成手段
３３ｂ  付勢手段
【図１】
2005211863.tif 000003
【図２】
2005211863.tif 000004
【図３】
2005211863.tif 000005
【図４】
2005211863.tif 000006
【図５】
2005211863.tif 000007
【図６】
2005211863.tif 000008
【図７】
2005211863.tif 000009
【図８】
2005211863.tif 000010
【図９】
2005211863.tif 000011
【図１０】
2005211863.tif 000012
【図１１】
2005211863.tif 000013